(57)【要約】【課題】ダクト接続部の種類を少なくして部品管理を容易にするとともにコスト低減を図ることができ、また、給気と排気のリークの少ない電動シャッター装置を提供することを目的とする。【解決手段】内部が２層管状の本体側筒体８と、内部が２層管状のダクト側筒体１０とを接合部１２を介して接合し形成されるシャッター装置本体１３と、接合部１２においてはさみ込み給気流路１と排気流路２を開閉するように設けられるシャッター１７と、このシャッター１７を開閉する電動式の開閉器１９とを備え、シャッター１７を強制的に開閉することにより、ダクト接続部の種類を少なくすることができ、排気と給気のリークの少ない電動シャッター装置が得られる。【選択図】図１
2006057882.tif 000002
【特許請求の範囲】
【請求項１】
内部を給気流路と排気流路に仕切板により仕切られた２層管状で、換気扇本体側に接続される本体側筒体と、この本体側筒体と同様の２層管状でダクト側に接続されるダクト側筒体とを接合部を介して接合して形成されるシャッター装置本体と、このシャッター装置本体の接合部においてはさみ込み、前記給気流路と排気流路を開閉するように設けられるシャッターと、このシャッターを強制的に開閉する電動式の開閉器とを備える構成とした電動シャッター装置。
【請求項２】
前記シャッターは、給気流路と排気流路を同時に開閉する構成とした請求項１に記載の電動シャッター装置。
【請求項３】
シャッターの開閉時に給気流路と排気流路を仕切る仕切板に当接しないように逃がすスリットを前記シャッターに設けた請求項１または２に記載の電動シャッター装置。
【請求項４】
本体側筒体とダクト側筒体の接合部にシャッターを回動する回動軸の受面を設けた請求項１〜３のいずれかに記載の電動シャッター装置。
【請求項５】
本体側筒体とダクト側筒体の接合部にパッキンを設けた請求項１に記載の電動シャッター装置。
【請求項６】
本体側筒体あるいはダクト側筒体に設けられるシャッターの当接面に結露水を排出する切欠きを設けた請求項１〜５のいずれかに記載の電動シャッター装置。
【請求項７】
本体側筒体とダクト側筒体に設けられるシャッターの回動軸を支持する受面にリブを形成した請求項１〜６のいずれかに記載の電動シャッター装置。
【請求項８】
回動軸より上部側あるいは下部側のシャッターを他方側より大きく形成し、本体側筒体あるいはダクト側筒体のシャッターとの当接面を段差形状に形成した請求項１〜７のいずれかに記載の電動シャッター装置。
【請求項９】
シャッターを開閉する電動式の開閉器を、給気流路および排気流路より遠ざかるように空気層を介して設置する構成とした請求項１〜８のいずれかに記載の電動シャッター装置。
【請求項１０】
シャッターを円形状の２枚のシャッター板を交差して形成した請求項１に記載の電動シャター装置。
【請求項１１】
本体側筒体とダクト側筒体を接合して形成したシャッター装置本体を発泡材で覆う構成とした請求項１〜１０のいずれかに記載の電動シャッター装置。
【請求項１２】
シャッター装置本体を覆う発泡材に吊りボルト用孔を設けた請求項１１に記載の電動シャッター装置。
【発明の詳細な説明】
【技術分野】
【０００１】
本発明は、室内の空気を排気し、室外の空気を同時に給気する同時給排形換気扇等に連通させて使用される電動シャッター装置に関する。
【背景技術】
【０００２】
従来、この種の同時給排を行う流路にシャッターを設けた換気装置が知られている（例えば、特許文献１参照）。
【０００３】
以下、その換気装置について図１１を参照にしながら説明する。
【０００４】
図に示すように、排気口１０１と吸気口１０２を設けた外筐１０３に吐出口１０４と吸入口１０５とを仕切る仕切部材１０６を設け、排気口１０１から吐出口１０４に排気送風する排気用ファン１０７および吸入口１０５から吸気口１０２に吸気送風する吸気用ファン１０８を設け、排気通路１０９と吸気通路１１０を設けた２層管１１１を吐出口１０４と吸入口１０５とに連通するように、シャッター１１２を回動自在に設けた連結パイプ１１３を外筐１０３に取り付け、連結パイプ１１３に２層管１１１を連結し、シャッター１１２は換気装置停止時には吐出口１０４および吸入口１０５を常に閉鎖するように設け、排気送風および吸気送風により開放するように設けていた。
【特許文献１】特開昭５６−１１９４３７号公報（第２頁、第１図、第２図）
【発明の開示】
【発明が解決しようとする課題】
【０００５】
このような従来の換気装置では、２層管１１１を連結するために外筐１０３に排気送風および吸気送風により開放するシャッター１１２を設けた連結パイプ１１３に設けているので、外筐１０３に取り付けられる連結パイプ１１３は外筐１０３の大きさに合わせた種類が必要となり、またシャッター１１２の有無によっても種類が分かれることになるため連結パイプの種類が多くなるという課題があった。
【０００６】
また、シャッター１１２は風圧式のため給気と排気の経路の隙間が多くリークしてしまうという課題もあった。
【０００７】
本発明は、このような従来の課題を解決するものであり、換気扇本体に設けられるダクト接続部の種類を少なくして部品管理を容易にするとともに、コスト低減を図ることができ、また、給気と排気のリークの少ない電動シャッター装置を提供することを目的としている。
【課題を解決するための手段】
【０００８】
本発明の電動シャッター装置は上記目的を達成するために、内部を給気流路と排気流路に仕切板により仕切られた２層管状で、換気扇本体側に接続される本体側筒体と、この本体側筒体と同様の２層管状でダクト側に接続されるダクト側筒体とを接合部を介して接合して形成されるシャッター装置本体と、このシャッター装置本体の接合部においてはさみ込み、前記給気流路と排気流路を開閉するように設けられるシャッターと、このシャッターを強制的に開閉する電動式の開閉器とを備える構成としたものである。
【０００９】
この手段により、ダクト接続部の種類が少なくなり、コスト低減を図ることができ、また、給気と排気のリークを少なくでき、また、メンテナンスを容易にすることができる。
【００１０】
また、他の手段は、前記シャッターは、給気流路と排気流路を同時に開閉する構成としたものである。
【００１１】
この手段により、シャッターの構成を簡単にすることができる。
【００１２】
また、他の手段は、シャッターの開閉時に給気流路と排気流路を仕切る仕切板に当接しないように逃がすスリットを前記シャッターに設けたものである。
【００１３】
この手段により、シャッターが所定位置に開放できシャッターによる通気抵抗を少なくでき、騒音を下げることができる。
【００１４】
また、他の手段は、本体側筒体とダクト側筒体の接合部にシャッターを回動する回動軸の受面を設けたものである。
【００１５】
この手段により給気と排気のリークを少なくすることができる。
【００１６】
また、他の手段は、本体側筒体とダクト側筒体の接合部にパッキンを設けたものである。
【００１７】
この手段により、結露水が接合部より滴下するのを防ぐことができる。
【００１８】
また、他の手段は、本体側筒体あるいはダクト側筒体に設けられるシャッターの当接面に結露水を排出する切欠きを設けたものである。
【００１９】
この手段により、仕切板で発生した結露水を屋外へ排出することができる。
【００２０】
また、他の手段は、本体側筒体とダクト側筒体に設けられるシャッターの回動軸を支持する受面にリブを形成したものである。
【００２１】
この手段により、揩動音の発生を防止することができる。
【００２２】
また、他の手段は、回動軸より上部側あるいは下部側のシャッターを他方側より大きく形成し、本体側筒体あるいはダクト側筒体のシャッターとの当接面を段差形状に形成したものである。
【００２３】
この手段により、換気扇本体の風量低下を防ぐことができる。
【００２４】
また、他の手段は、シャッターを開閉する電動式の開閉器を、給気流路および排気流路より遠ざかるように空気層を介して設置する構成としたものである。
【００２５】
この手段により、開閉器の結露を防止することができる。
【００２６】
また、他の手段は、シャッターを円形状の２枚のシャッター板を交差して形成したものである。
【００２７】
この手段により換気扇本体の風量低下を防止できる。
【００２８】
また、他の手段は、本体側筒体とダクト側筒体を接合して形成したシャッター装置本体を発泡材で覆う構成としたものである。
【００２９】
この手段により、給気経路の外周側で発生する結露を防止することができる。
【００３０】
また、他の手段は、シャッター装置本体を覆う発泡材に吊りボルト用孔を設けたものである。
【００３１】
この手段により安定した取り付けを行うことができる。
【発明の効果】
【００３２】
本発明によれば、ダクト接続部の種類が少なくなり、コスト低減を図ることができ、また、給気と排気のリークを少なくでき、また、メンテナンスを容易にすることができる効果のある電動式シャッター装置を提供できる。
【００３３】
また、シャッターの構成を簡単にすることができる。
【００３４】
また、シャッターによる通気抵抗を少なくすることができるとともに騒音を下げることができる。
【００３５】
また、シャッターの回転による揩動音の発生を防止できる。
【発明を実施するための最良の形態】
【００３６】
本発明の請求項１に記載の電動シャッター装置は、内部を給気流路と排気流路に仕切板により仕切られた２層管状で、換気扇本体側に接続される本体側筒体と、この本体側筒体と同様の２層管状でダクト側に接続されるダクト側筒体とを接合部を介して接合して形成されるシャッター装置本体と、このシャッター装置本体の接合部においてはさみ込み、前記給気流路と排気流路を開閉するように設けられるシャッターと、このシャッターを強制的に開閉する電動式の開閉器とを備える構成としたものであり、換気扇本体のダクト接続部にはシャッターを設ける必要がなくなり、ダクト接続部の種類を少なくすることができ、管理が容易になるとともに、コスト低減を図ることができ、また、シャッターを接合部で本体側筒体とダクト側筒体ではさみ込む形としているので、給気と排気のリークを少なくすることができ、また、シャッターをはさみ込むため組み立てがしやすくメンテナンスが容易となる。
【００３７】
また請求項２に記載の発明は、前記シャッターは、給気流路と排気流路を同時に開閉する構成としたものであり、２つの流路を同時に開閉するシャッターおよび、シャッターを回動する軸は１つの部品で構成することができ構造を簡単にすることができる。
【００３８】
また、請求項３に記載の発明は、シャッターの開閉時に給気流路と排気流路を仕切る仕切板に当接しないように逃がすスリットを前記シャッターに設けたものであり、シャッターを開いたときに、仕切板に邪魔されることなく、シャッターを風向に対し略平行に位置させることができ、シャッターによる通気抵抗が少なくなって騒音も低減させることができる。
【００３９】
また、請求項４に記載の発明は、本体側筒体とダクト側筒体の接合部にシャッターを回動する回動軸の受面を設けたものであり、接合部において、シャッターを回動する回動軸が受面に当接することにより、気密性を向上することができ、給気と排気のリークを少なくすることができる。
【００４０】
また、請求項５に記載の発明は、本体側筒体とダクト側筒体の接合部にパッキンを設けたものであり、冬期など温度の低い外気を給気した場合には、給気流により接触する仕切板に発生する結露水が本体側筒体とダクト側筒体の接合部より滴下するのを防ぐことができる。
【００４１】
また、請求項６に記載の発明は、本体側筒体あるいはダクト側筒体に設けられるシャッターの当接面に結露水を排出する切欠きを設けたものであり、電動シャッター装置は通常勾配を設けて取り付けられるので、切欠きを設けることにより、仕切板に発生した結露水を切欠きを通して屋外に排出できることとなる。
【００４２】
また、請求項７に記載の発明は、本体側筒体とダクト側筒体に設けられるシャッターの回動軸を支持する受面にリブを形成したものであり、回動軸と支持部との接触が面接触に比べ、接触面積を減少することができ、揩動部の磨耗が減少するとともに、揩動音を防止することができる。
【００４３】
また、請求項８に記載の発明は、回動軸より上部側あるいは下部側のシャッターを他方側より大きく形成し、本体側筒体あるいはダクト側筒体のシャッターとの当接面を段差形状に形成したものであり、開口面積を大きく形成することができ、通気抵抗を減少することができるので、換気扇本体の風量低下を防ぐことができる。
【００４４】
また、請求項９に記載の発明は、シャッターを開閉する電動式の開閉器を、給気流路および排気流路より遠ざかるように空気層を介して設置する構成としたものであり、給気温度が低い場合、その低温により本体側筒体とダクト側筒体により形成されるシャッター装置本体の表面に結露したときにおいても空気層により電動式の開閉器には結露しないようにでき安全性を高めることができる。
【００４５】
また、請求項１０に記載の発明は、シャッターを円形状の２枚のシャッター板を交差して形成したものであり、仕切板にシャッターあて面を設ける必要がないことにより、通気抵抗を少なくでき、換気扇本体の風量低下を防止することができる。
【００４６】
また、請求項１１に記載の発明は、本体側筒体とダクト側筒体を接合して形成したシャッター装置本体を発泡材で覆う構成としたものであり、給気温度の低温のときに、シャッター装置本体の表面に結露するのを防止することができ、また、発泡材を用いることによりシャッター装置本体に発泡体を容易に密着させることができ結露防止効果が高められる。
【００４７】
また、請求項１２に記載の発明は、シャッター装置本体を覆う発泡材に吊りボルト用孔を設けたものであり、孔を用いて吊りボルトにより発泡材で覆われたシャッター装置本体を吊り下げ支持することができることとなり、シャッター装置本体を換気扇本体とダクトにより単に支持する場合に比較して安定した取り付けができる。
【００４８】
以下、本発明の実施の形態について図面を参照しながら説明する。
【００４９】
（実施の形態１）
図１〜図３に示すように、給気流路１と排気流路２に仕切板３により仕切られた２層管状であり、給気用ファン４と排気用ファン５を有した換気扇本体６に設けたシャッター無しのダクト接続部７に接続される本体側筒体８と、この本体側筒体８と同様に給気流路１と排気流路２および仕切板３を有した２層管状で、ダクト９と接続されるダクト側筒体１０と、このダクト側筒体１０に設けた接合片１１と本体側筒体８に設けた接合片１１Ａよりなる接合部１２を介して接合し形成されるシャッター装置本体１３と、シャッター装置本体１３の接合部１２において、半円形状のシャッター板１４を、仕切板３に当接しないように逃がすスリット１５を介して円形状態に保持するように回動軸１６に保持し形成されるシャッター１７を設け、シャッター１７の回動軸１６を、本体側筒体８に設けた受面（図５で示す受面１８Ａと同様の受面）とダクト側筒体１０に設けた受面１８ではさみ込み、シャッター１７を回動軸１６を介して給気流路１と排気流路２を同時に開閉するように設ける。
【００５０】
また、本体側筒体８の外周部には電動式の開閉器１９を収納する形状で一側部と蓋側が開口された開閉器箱２０を一体的に形成し、ダクト側筒体１０の外周部には、本体側筒体８に設けた開閉器箱２０の開口された一側部に合致する開閉器箱側壁２１を一体的に形成し、開閉器１９にシャッター１７の回動軸１６を係止した状態で開閉器１９を開閉器箱２０内に取り付け、ダクト側筒体１０に本体側筒体８を接合するときに、開閉器箱側壁２１を開閉器箱２０に取り付け、その後、蓋２２を取り付けるようにして電動式シャッター装置を構成する。
【００５１】
上記構成において、電動式シャッター装置を設置するときには天井裏に突出して取り付けられた換気扇本体６のダクト接続部７にシャッター収納本体１３の本体側筒体６を係合し、他方のダクト側筒体１０をダクト９に接続して設置する。
【００５２】
そして、換気扇本体６を運転し、電動式の開閉器１９によりシャッター１７を解放したときには、換気扇本体６に組み込まれた給気用ファン４と排気用ファン５が駆動され、室内空気は排気用ファン５に吸気され、ダクト接続部７を通り、シャッター装置本体１３の本体側筒体８の排気流路２を通り、ダクト側筒体１０の排気流路２を通り２層管のダクト９内を経て、屋外に排出される。
【００５３】
一方、屋外の空気が２層管のダクト９内を経てダクト側筒体１０の給気流路１を通り、本体側筒体８の給気流路１を経てダクト接続部７を通り給気用ファン４により室内に給気されて同時給排の換気が行われる。
【００５４】
また、換気運転を停止するときには、換気扇本体６の運転を停止し、開閉器１９により回動軸１６を介してシャッター１７を閉鎖すると、シャッター１７により給気流路１と排気流路２の気流の流れが停止し、室外から室内に空気が流れ込むことがなくなる。
【００５５】
このように、給気流路１と排気流路２を形成する２層管状の本体側筒体８と、２層管状のダクト側筒体１０でシャッター１７を回動軸１６を介して開閉自在にはさみ込み、接合部１２にシャッター１７を開閉自在に設け、シャッター１７を電動式の開閉器１９で強制的に開閉するようにしたシャッター装置本体１３を換気扇本体６とダクト９間に配設したので、換気扇本体６のダクト接続部７にはシャッターを設ける必要がなくなり、ダクト接続部７の種類を少なくすることができ、部品の管理が容易でコスト低減も図ることができ、またシャッター１７を接合部１２で本体側筒体８とダクト側筒体１０ではさみ込む形としているので、給気と排気のリークを少なくすることができることとなる。
【００５６】
また、シャッター１７により給気流路１と排気流路２を同時に開閉するので、２つの流路を同時に開閉するシャッター１７およびシャッター１７を回動する回動軸１６は１つの部品で構成することができ、構造を簡単にすることができる。
【００５７】
また、シャッター１７の開閉時に給気流路１と排気流路２を仕切る仕切板３に当接しないように逃がすスリット１５を設けているのでシャッター１７を開いたときに、仕切板３に邪魔されることなく、シャッター１７を風向に対し略平行に位置させることができ、シャッター１７による通気抵抗が少なくなって騒音も低減することができる。
【００５８】
また、ダクト側筒体１０と本体側筒体８の接合部１２にシャッター１７を回動する回動軸１６が受面１８、１８Ａを設けたので、接合部においてシャッター１７を回動する回動軸１６が受面１８、１８Ａに当接することにより気密性を向上することができ、給気と排気のリークを少なくすることができる。
【００５９】
（実施の形態２）
図４に示すように、本体側筒体８Ａとダクト側筒体１０Ａの接合部１２Ａにパッキン２３を設け、本体側筒体８Ａあるいはダクト側筒体１０Ａに設けられるシャッター１７Ａの当接面２４に結露水を排出する切欠き２５を設けた構成とする。
【００６０】
上記構成において、冬期等の外気が低温の場合に、外気を給気したときには給気流が接触する仕切板３Ａに発生する結露水が本体側筒体８Ａとダクト側筒体１０Ａの接合部１２Ａより滴下するのを防ぐことができる。
【００６１】
また、電動シャッター装置は通常勾配を設けて取り付けられるので、切欠き２５を設けることにより仕切板３Ａに発生した結露水を切欠き２５を通って屋外に排出することができることとなる。
【００６２】
（実施の形態３）
図５および図６に示すように、本体側筒体８Ｂとダクト側筒体１０Ｂに設けられる、シャッター１７Ｂの回動軸１６Ａを支持する受面１８Ａにリブを形成して構成する。
【００６３】
上記構成において、シャッター１７Ｂが開閉するときには、シャッター１７Ｂの回動軸１６Ａがリブ形状の受面１８Ａ上を回動してシャッター１７Ｂが開閉される。このことにより、回動軸１６Ａと受面１８Ａとの接触が面接触に比べ接触面積が減少することとなり、受面１８Ａと回動軸１６Ａの揩動部の磨耗が減少するとともに、揩動音の減少を図ることができることとなる。
【００６４】
（実施の形態４）
図７に示すように、回動軸１６Ｂより上部側あるいは下部側のシャッター１７Ｃを他方側より大きく形成し、本体側筒体８Ｃあるいはダクト側筒体１０Ｃのシャッター１７Ｃとの当接面２４Ａを段差形状２６に形成して構成する。
【００６５】
上記構成において、シャッター１７Ｃが閉鎖時には、段差形状２６に形成された当接面２４Ａに当接して密閉され、シャッター１７Ｃは、本体側筒体８Ｃあるいはダクト側筒体１０Ｃに形成された段差形状２６により大きく形成することができ、シャッター１７Ｃが開放されたときの開口面積が大きくなる。
【００６６】
このように、段差形状２６を設けることにより、シャッター１７Ｃを大きく形成でき、大きく形成されたシャッター１７Ｃが開放することにより、開口面積が大きくなって通気抵抗を減少することができ、換気風量が低下するのを防止できる。
【００６７】
（実施の形態５）
図８に示すように、開閉器箱２０Ａに収納されたシャッター１７Ｄを開閉する電動式の開閉器１９Ａを給気流路１Ａおよび排気流路２Ａより遠ざかるように空気層２７を形成する支持脚２８を介して本体側筒体８Ｄの外周に支持して構成する。
【００６８】
上記構成において、給気流路１Ａに低温の外気が給気され、本体側筒体８Ｄの外壁に結露が発生しても、本体側筒体８Ｄより遠ざかるように空気層２７を形成する支持脚２８を介して電動式の開閉器１９Ａを収納した開閉器箱２０Ａには結露水が発生することが少なくなる。
【００６９】
このことにより、給気温度が低い場合に、本体側筒体８Ｄの表面が結露した場合においても、空気層２７により開閉器１９Ａに結露するのが防止され、安全性が高められることとなる。
【００７０】
（実施の形態６）
図９に示すように、シャッター１７Ｅを２枚の円形のシャッター板１４Ａと１４Ｂを交差して形成し構成する。ダクト側筒体１０Ｅの内部の仕切板、および本体側筒体８Ｆの内部の仕切板はシャッター板１４Ｂが回動自在となるように、シャッター板１４Ｂの外周部が沿う形状の溝を有し、回動自在にシャッター板１４Ｂを保持するようにシャッター板１４を挟持している。
【００７１】
上記構成において、シャッター１７Ｅを形成する２枚のシャッター板１４Ａと１４Ｂの一方のシャッター板１４Ｂは給気流路１と排気流路２を仕切る仕切板として作用する。
【００７２】
このことにより、シャッター板１４Ｂが仕切板として作用することにより、一枚のシャッター板によりシャッターを形成した場合のように仕切板に受面を設ける必要がなくなり、通気抵抗を少なくでき、換気扇本体の風量低下を防止することができることとなる。
【００７３】
（実施の形態７）
図１０に示すように、本体側筒体８Ｄとダクト側筒体１０Ｅを接合して形成したシャッター装置本体１３Ａを発泡材２９で覆い、発泡材２９には吊りボルト用孔３０を設け構成する。
【００７４】
上記構成において、シャッター装置本体１３Ａ内に低温の給気流が給気されても、シャッター装置本体１３Ａの外周は発泡材２９で断熱保護されていることにより、シャッター装置本体１３Ａの外周に結露することがなくなる。
【００７５】
このように、シャッター装置本体１３Ａを発泡材２９で覆うことにより、給気温度が低温の場合においてもシャッター装置本体１３Ａの表面に結露するのを防止することができ、また、発泡材２９を用いることによりシャッター装置本体１３Ａに発泡材２９を容易に密着することができ、シャッター装置本体１３Ａの結露の防止効果を高められることとなる。
【００７６】
また、発泡材２９に吊りボルト用孔３０を設けていることにより吊りボルト用孔３０を用いて、吊りボルト（図示せず）により発泡材２９で覆われたシャッター装置本体１３Ａを吊り下げ支持することができ、シャッター装置本体１３Ａを換気扇本体とダクトにより単に支持する場合に比較して安定した取り付けができることとなる。
【産業上の利用可能性】
【００７７】
本発明の電動シャッター装置は、熱交換器を設けた同時給排形換気扇にも適用することができる。
【図面の簡単な説明】
【００７８】
【図１】本発明の実施の形態１の電動シャッター装置の構成を示す分解斜視図
【図２】同電動シャッター装置の斜視図
【図３】同電動シャッター装置を換気扇に取り付けて設置した状態を示す断面図
【図４】本発明の実施の形態２の電動シャッター装置の断面図
【図５】本発明の実施の形態３の電動シャッター装置の構成を示す分解斜視図
【図６】同電動シャッター装置におけるシャッターの回動軸の受面を示す斜視図
【図７】本発明の実施の形態４の電動シャッター装置の断面図
【図８】本発明の実施の形態５の電動シャッター装置の斜視図
【図９】本発明の実施の形態６の電動シャッター装置の構成を示す分解斜視図
【図１０】本発明の実施の形態７の電動シャッター装置の斜視図
【図１１】従来の換気装置の断面図
【符号の説明】
【００７９】
１      給気流路
１Ａ    給気流路
２      排気流路
２Ａ    排気流路
３      仕切板
８      本体側筒体
８Ａ    本体側筒体
８Ｂ    本体側筒体
８Ｃ    本体側筒体
８Ｄ    本体側筒体
１０    ダクト側筒体
１０Ａ  ダクト側筒体
１０Ｂ  ダクト側筒体
１０Ｃ  ダクト側筒体
１０Ｅ  ダクト側筒体
１２    接合部
１２Ａ  接合部
１３    シャッター装置本体
１３Ａ  シャッター装置本体
１４Ａ  シャッター板
１４Ｂ  シャッター板
１５    スリット
１６    回動軸
１６Ａ  回動軸
１６Ｂ  回動軸
１７    シャッター
１７Ａ  シャッター
１７Ｂ  シャッター
１７Ｃ  シャッター
１７Ｅ  シャッター
１８    受面
１８Ａ  受面
１９    開閉器
２３    パッキン
２４    当接面
２４Ａ  当接面
２５    切欠き
２６    段差形状
２７    空気層
２９    発泡材
３０    吊りボルト用孔
【図１】
2006057882.tif 000003
【図２】
2006057882.tif 000004
【図３】
2006057882.tif 000005
【図４】
2006057882.tif 000006
【図５】
2006057882.tif 000007
【図６】
2006057882.tif 000008
【図７】
2006057882.tif 000009
【図８】
2006057882.tif 000010
【図９】
2006057882.tif 000011
【図１０】
2006057882.tif 000012
【図１１】
2006057882.tif 000013